(57)【要約】【課題】特別な連結部品を用いることなく照明器具同士を連結できると共に、１８０度以上の角度範囲で連結できる連結式照明器具を実現する。【解決手段】長尺な器具本体56を構成する蓋部54の一端部に、器具本体56の長手方向に延び、半径の異なる同心円上において１８０度間隔で対向配置される円弧状の一対の長孔63ａ，63ｂを形成すると共に、蓋部54の他端部に一対のコンタクトピン68ａ，68ｂを設け、該コンタクトピン68ａ，68ｂは、他方の第１の連結式照明器具50Ｂの長孔63ａ，63ｂ内に挿入されて長孔63ａ，63ｂの両端間を１８０度の範囲で移動可能と成した。【選択図】図１
2011096534.tif 000002
【特許請求の範囲】
【請求項１】
長尺な器具本体を有する連結式照明器具であって、
上記器具本体の一端部に、該器具本体の長手方向に延び、半径の異なる同心円上において１８０度間隔で対向配置された一対の円弧状の長孔を形成し、また、
上記器具本体の他端部に、他の連結式照明器具の上記長孔に挿入される一対の長孔挿入部材を形成し、さらに、
上記一対の長孔挿入部材は、他の連結式照明器具の一対の長孔に挿入された状態で該長孔の両端間を所定角度範囲で移動可能と成されていることを特徴とする連結式照明器具。
【請求項２】
上記一対の長孔挿入部材が、他の連結式照明器具の一対の長孔に挿入された状態で該長孔の両端間を１８０度の範囲で移動可能と成されていることを特徴とする請求項１に記載の連結式照明器具。
【請求項３】
上記器具本体の内部に光源が配置されており、また、
上記長孔内に、光源と電気的に接続された導体が延設されており、さらに、
上記長孔挿入部材が、光源と電気的に接続された導電材で構成されており、
上記導電材より成る長孔挿入部材は、他の連結式照明器具の長孔内に挿入されて上記導体と接続されることを特徴とする請求項１又は２に記載の連結式照明器具。
【請求項４】
長尺な器具本体を有する連結式照明器具であって、
上記器具本体の一端部に、所定角度で等間隔に配置された複数の円孔で構成され、上記器具本体の長手方向に延びる一対の円孔群を形成し、該一対の円孔群を、半径の異なる同心円上において１８０度間隔で対向配置して成り、また、
上記器具本体の他端部に、他の連結式照明器具の上記一対の円孔群を構成する円孔に挿入される一対の円孔挿入部材を形成し、さらに、
上記一対の円孔挿入部材は、円孔群を構成する一端位置の円孔から他端位置の円孔迄の間で移動可能と成されていることを特徴とする連結式照明器具。
【請求項５】
上記円孔群が、１５度間隔で配置された１３個の円孔で構成されており、
上記一対の円孔挿入部材は、円孔群を構成する一端位置の円孔から他端位置の円孔迄の間を１８０度の範囲で移動可能と成されていることを特徴とする請求項４に記載の連結式照明器具。
【請求項６】
上記器具本体の内部に光源が配置されており、また、
上記円孔内に、光源と電気的に接続された導体が延設されており、さらに、
上記円孔挿入部材が、光源と電気的に接続された導電材で構成されており、
上記導電材より成る円孔挿入部材は、他の連結式照明器具の円孔内に挿入されて上記導体と接続されることを特徴とする請求項４又は５に記載の連結式照明器具。
【請求項７】
上記光源が発光ダイオードであることを特徴とする請求項３又は６に記載の連結式照明器具。
【発明の詳細な説明】
【技術分野】
【０００１】
この発明は、複数の照明器具同士を連結することのできる連結式照明器具に関する。
【背景技術】
【０００２】
従来、店舗やオフィスの照明として、複数の長尺な照明器具同士を連結させてライン状に配置させたり、照明器具同士の連結角度を調整することにより所定の形状に配置させることが行われている。
複数の照明器具同士を連結するため、従来、例えば、実開平５−６１２１５号「発光式標識装置及びその継手」（特許文献１）が提案されている。
この特許文献１においては、「両端に連結顎部２２を有する複数個の発光ユニット２を、上記連結顎部２２同士を連結する継手４によって所望の形状に連結したもの」が開示されている。
【０００３】
上記特許文献１は、発光ユニット２の両端に設けた連結顎部２２同士を連結する「継手４」を介して、複数個の発光ユニット２を連結すると共に、連結顎部２２を所望の連結角度に設定できるものである。
しかしながら、特許文献１にあっては、発光ユニット２の連結及び連結角度の設定のため、発光ユニット２以外に、別途、特別な連結部品としての「継手４」が必要であることから、部品点数が多く構造が複雑であった。
【０００４】
そこで、本出願人は、特願２００９−６５４２２号（特許文献２）において、特別な連結部品を用いることなく照明器具同士の連結及び連結角度の設定ができる連結式照明器具を提案した。
すなわち、図３５〜図４１に示す通り、この連結式照明器具10は、長尺な基板12と、該基板12の表面を覆う長尺な蓋部14を備えた器具本体16を有している。
【０００５】
器具本体16を構成する上記基板12は導電材上に絶縁層を形成して構成されており、該基板12の表面には発光ダイオード（ＬＥＤ）20が所定間隔で配置されている。
上記蓋部14は透光性材料で構成されており、ＬＥＤ20の発光を透過させて外部へ放射できるようになっている。
【０００６】
図３５及び図４１に示すように、器具本体16を構成する上記蓋部14の一端部には、器具本体16の長手方向に延びる円弧状の一対の長孔22ａ，22ｂが形成されている。上記一対の長孔22ａ，22ｂは、同一円周上において１８０度間隔で対向配置されており、また、その中心角は同一の９０度と成されている。
尚、上記長孔22ａ，22ｂ内に露出した基板12の表面には、上記ＬＥＤ20に接続された図示しない導体パターンが延設されている。
また、上記一対の長孔22ａ，22ｂ間には、ネジ孔24が形成されている。
【０００７】
さらに、上記蓋部14の他端部の底面には、導電材より成る一対のコンタクトピン26ａ，26ｂが取り付けられている。すなわち、図３７に示すように、蓋部14の他端の底面には導電板28が取り付けられており、該導電板28の先端に形成した孔（図示せず）にコンタクトピン26ａ，26ｂを挿通固定している。
尚、上記導電板28の後端は、ＬＥＤ20に接続された図示しない導体パターン導体と接続されている。
また、上記蓋部14の他端部にもネジ孔30が形成されている。
【０００８】
上記構成を備えた連結式照明器具10同士を連結するには、図４２〜図４５に示すように、一方の連結式照明器具10Ａのコンタクトピン26ａ，26ｂを、他方の連結式照明器具10Ｂの長孔22ａ，22ｂ内に挿入し、コンタクトピン26ａ，26ｂを導体パターン（図示省略）上に載置・接続する。
【０００９】
そして、コンタクトピン26ａ，26ｂが長孔22，22内に挿入された状態で、コンタクトピン26ａ，26ｂを円弧状の長孔22ａ，22ｂに沿って移動させれば、一方の連結式照明器具10Ａが回転するので連結角度を調整することができる。
すなわち、上記した通り、一対の円弧状の長孔22ａ，22ｂは、同一円周上において１８０度間隔で対向配置されると共に、中心角が９０度と成されているので、図４２及び図４３に示すように、一対のコンタクトピン26ａ，26ｂを共に、長孔22，22の中央位置に配置すれば、連結式照明器具10Ａ，10Ｂ同士をライン状に連結することができる。
【００１０】
また、図４４及び図４５に示すように、一方のコンタクトピン26ａを長孔22ａの左端位置に配置すると共に、他方のコンタクトピン26ｂを長孔22ｂの右端位置に配置すれば、一方の連結式照明器具10Ａを他方の連結式照明器具10Ｂに対して上方４５度の角度で連結することができる。
さらに、図示は省略するが、一方のコンタクトピン26ａを長孔22ａの右端位置に配置すると共に、他方のコンタクトピン26ｂを長孔22ｂの左端位置に配置すれば、一方の連結式照明器具10Ａを他方の連結式照明器具10Ｂに対して下方４５度の角度で連結することができる。
【００１１】
以上の通り、上記連結式照明器具10は、他方の連結式照明器具10Ｂの長孔22ａ，22ｂ内に挿入された一方の連結式照明器具10Ａのコンタクトピン26ａ，26ｂを、長孔22ａ，22ｂに沿って移動させて一方の連結式照明器具10Ａを回転させることにより、特別な連結部品を用いることなく、９０度の範囲で連結角度の調整を行うことができるようになっている。
【００１２】
尚、一方の連結式照明器具10Ａのコンタクトピン26ａ，26ｂを、他方の連結式照明器具10Ｂの長孔22ａ，22ｂ内に挿入した状態においては、一方の連結式照明器具10Ａのネジ孔30と他方の連結式照明器具10Ｂのネジ孔24とが連通するようになっている。
而して、上記方法で一方の連結式照明器具10Ａと他方の連結式照明器具10Ｂとを所望の連結角度で連結した状態で、ネジ孔24，30にネジ32を螺合させて連結式照明器具10Ａ，10Ｂ同士を固定するのである（図４６）。
【特許文献１】実開平５−６１２１５号
【特許文献２】特願２００９−６５４２２号
【発明の開示】
【発明が解決しようとする課題】
【００１３】
出願人が提案した上記連結式照明器具10は、円弧状の長孔22ａ，22ｂの中心角を９０度より大きく成せば、９０度より大きい範囲で連結角度の調整が可能ではあるが、上記一対の長孔22ａ，22ｂは同一円周上に配置されていることから、連結角度範囲の拡大には限界があり、中心角が１８０度になると長孔22ａ，22ｂ同士が接触してしまうため、１８０度未満の角度範囲でしか連結できないものであった。
【００１４】
本発明は、従来の上記問題に鑑みてなされたものであり、その目的とするところは、特別な連結部品を用いることなく照明器具同士を連結できると共に、１８０度以上の角度範囲で連結できる連結式照明器具を実現することにある。
【課題を解決するための手段】
【００１５】
上記の目的を達成するため、請求項１に記載の連結式照明器具は、
長尺な器具本体を有する連結式照明器具であって、
上記器具本体の一端部に、該器具本体の長手方向に延び、半径の異なる同心円上において１８０度間隔で対向配置された一対の円弧状の長孔を形成し、また、
上記器具本体の他端部に、他の連結式照明器具の上記長孔に挿入される一対の長孔挿入部材を形成し、さらに、
上記一対の長孔挿入部材は、他の連結式照明器具の一対の長孔に挿入された状態で該長孔の両端間を所定角度範囲で移動可能と成されていることを特徴とする。
【００１６】
請求項２に記載の連結式照明器具は、請求項１に記載の連結式照明器具において、
上記一対の長孔挿入部材が、他の連結式照明器具の一対の長孔に挿入された状態で該長孔の両端間を１８０度の範囲で移動可能と成されていることを特徴とする。
【００１７】
請求項３に記載の連結式照明器具は、請求項１又は２に記載の連結式照明器具において、
上記器具本体の内部に光源が配置されており、また、
上記長孔内に、光源と電気的に接続された導体が延設されており、さらに、
上記長孔挿入部材が、光源と電気的に接続された導電材で構成されており、
上記導電材より成る長孔挿入部材は、他の連結式照明器具の長孔内に挿入されて上記導体と接続されることを特徴とする。
【００１８】
請求項４に記載の連結式照明器具は、
長尺な器具本体を有する連結式照明器具であって、
上記器具本体の一端部に、所定角度で等間隔に配置された複数の円孔で構成され、上記器具本体の長手方向に延びる一対の円孔群を形成し、該一対の円孔群を、半径の異なる同心円上において１８０度間隔で対向配置して成り、また、
上記器具本体の他端部に、他の連結式照明器具の上記一対の円孔群を構成する円孔に挿入される一対の円孔挿入部材を形成し、さらに、
上記一対の円孔挿入部材は、円孔群を構成する一端位置の円孔から他端位置の円孔迄の間で移動可能と成されていることを特徴とする。
【００１９】
請求項５に記載の連結式照明器具は、請求項４に記載の連結式照明器具において、
上記円孔群が、１５度間隔で配置された１３個の円孔で構成されており、
上記一対の円孔挿入部材は、円孔群を構成する一端位置の円孔から他端位置の円孔迄の間を１８０度の範囲で移動可能と成されていることを特徴とする。
【００２０】
請求項６に記載の連結式照明器具は、請求項４又は５に記載の連結式照明器具において、
上記器具本体の内部に光源が配置されており、また、
上記円孔内に、光源と電気的に接続された導体が延設されており、さらに、
上記円孔挿入部材が、光源と電気的に接続された導電材で構成されており、
上記導電材より成る円孔挿入部材は、他の連結式照明器具の円孔内に挿入されて上記導体と接続されることを特徴とする。
【００２１】
請求項７に記載の連結式照明器具は、請求項３又は６に記載の連結式照明器具において、
上記光源が発光ダイオードであることを特徴とする。
【発明の効果】
【００２２】
本発明の請求項１に記載の連結式照明器具は、長尺な器具本体の一端部に、該器具本体の長手方向に延び、半径の異なる同心円上において１８０度間隔で対向配置された一対の円弧状の長孔を形成すると共に、器具本体の他端部に、他の連結式照明器具の上記長孔に挿入される一対の長孔挿入部材を形成したので、一の連結式照明器具の長孔挿入部材を他の連結式照明器具の長孔に挿入することにより、別途、特別な連結部品を用いることなく、連結式照明器具同士を連結できる。
また、一対の長孔挿入部材は、他の連結式照明器具の一対の長孔に挿入された状態で該長孔の両端間を所定角度範囲で移動可能と成されているので、上記所定角度範囲で連結角度の調整ができる。
而して、請求項１に記載の連結式照明器具にあっては、一対の長孔挿入部材が挿入される一対の長孔が、半径の異なる同心円上に配置されていることから、中心角が１８０度以上の長孔を形成しても、長孔同士が接触することはなく、１８０度以上の角度範囲で連結できる連結式照明器具を実現できる。
【００２３】
請求項２に記載の連結式照明器具の如く、請求項１に記載の連結式照明器具において、一対の長孔挿入部材が、他の連結式照明器具の一対の長孔に挿入された状態で該長孔の両端間を１８０度の範囲で移動可能と成した場合には、１８０度の範囲で連結角度の調整を行うことができる。
【００２４】
請求項３に記載の連結式照明器具の如く、請求項１又は２に記載の連結式照明器具において、上記長孔内に、器具本体内部の光源と電気的に接続された導体が延設され、また、上記長孔挿入部材が、光源と電気的に接続された導電材で構成され、上記導電材より成る長孔挿入部材は、他の連結式照明器具の長孔内に挿入されて上記導体と接続されるよう構成すれば、連結式照明器具同士の電気的接続も実現することができる。
【００２５】
本発明の請求項４に記載の連結式照明器具は、長尺な器具本体の一端部に、所定角度で等間隔に配置された複数の円孔で構成され、上記器具本体の長手方向に延びる一対の円孔群を形成し、該一対の円孔群を、半径の異なる同心円上において１８０度間隔で対向配置すると共に、器具本体の他端部に、他の連結式照明器具の上記一対の円孔群を構成する円孔に挿入される一対の円孔挿入部材を形成したので、一の連結式照明器具の円孔挿入部材を他の連結式照明器具の円孔に挿入することにより、別途、特別な連結部品を用いることなく、連結式照明器具同士を連結できる。
また、一対の円孔挿入部材は、他の連結式照明器具の円孔群を構成する一端位置の円孔から他端位置の円孔迄の間で移動可能と成されているので、一の連結式照明器具の円孔挿入部材の挿入位置を変えることにより連結角度の調整を行うことができる。
而して、請求項４に記載の連結式照明器具にあっては、一対の円孔挿入部材が挿入される複数の円孔より成る一対の円孔群が半径の異なる同心円上に配置されていることから、１８０度以上の範囲で円孔を配置しても、円孔群同士が接触することはなく、１８０度以上の角度範囲で連結できる連結式照明器具を実現できる。
【００２６】
請求項５に記載の連結式照明器具の如く、請求項４に記載の連結式照明器具において、円孔群を１５度間隔で配置された１３個の円孔で構成し、一対の円孔挿入部材は、円孔群を構成する一端位置の円孔から他端位置の円孔迄の間を１８０度の範囲で移動可能と成した場合には、他の連結式照明器具の円孔群を構成する円孔内に挿入する一の連結式照明器具の円孔挿入部材の挿入位置を変えることにより、１８０度の範囲で連結角度の調整を行うことができる。
しかも、各円孔群を構成する１３個の円孔は１５度間隔で配置されているので、他の連結式照明器具の円孔群を構成する円孔内に挿入する一の連結式照明器具の円孔挿入部材の挿入位置を変えることにより、連結角度を１５度単位で容易に設定することができる。
【００２７】
請求項６に記載の連結式照明器具の如く、請求項４又は５に記載の連結式照明器具において、上記円孔内に、器具本体内部の光源と電気的に接続された導体が延設され、また、上記円孔挿入部材が、光源と電気的に接続された導電材で構成され、上記導電材より成る円孔挿入部材は、他の連結式照明器具の円孔内に挿入されて上記導体と接続されるよう構成すれば、連結式照明器具同士の電気的接続も実現することができる。
【発明を実施するための最良の形態】
【００２８】
以下、図面に基づき、本発明に係る連結式照明器具の実施形態を説明する。
図１は、本発明に係る第１の連結式照明器具50の平面図、図２は正面図、図３は底面図、図４は右側面図、図５は左側面図、図６は図１のＡ−Ａ断面図、図７は図１のＢ−Ｂ断面図である。                                            
本発明の第１の連結式照明器具50は、長尺な基板52と、該基板52の表面を覆う長尺な蓋部54を備えた器具本体56を有しており、該器具本体56は長尺で棒状の外観を呈している。
【００２９】
器具本体56を構成する上記基板52はアルミニウム等の導電材上に樹脂等の絶縁層（図示省略）を形成して構成されており、該基板52の表面には、光源としての６個の発光ダイオード（ＬＥＤ）60が所定間隔で配置されている。また、６個のＬＥＤ60は、表面を半田メッキされた銅等より成る導体パターン（図示せず）を介して直列接続されている。
尚、各ＬＥＤ60は、６個のＬＥＤチップ（図示せず）を内蔵しており、これら６個のＬＥＤチップは、２個づつ並列接続されて３組のＬＥＤチップ群が構成されると共に、これら３組のＬＥＤチップ群同士が直列接続されている。
上記蓋部54は、樹脂等より成る透光性材料で構成されており、ＬＥＤ60の発光を透過させて外部へ放射できるようになっている。
【００３０】
図１及び図７に示すように、器具本体56を構成する上記蓋部54の一端部には、器具本体56の長手方向に延びる円弧状の一対の長孔63ａ，63ｂが形成されている。
上記一対の長孔63ａ，63ｂは、半径の異なる同心円上において１８０度間隔で対向配置されており、また、その中心角は共に１８０度より若干大と成されている。すなわち、一方の長孔63ａは半径の大きい同心円上に配置され、他方の長孔63ｂは半径の小さい同心円上に配置されており、長孔63ａと長孔63ｂとは相似形と成されているものである。
また、上記長孔63ａ，63ｂ内に露出した基板52の表面には、上記ＬＥＤ60に接続された図示しない導体としての導体パターンが延設されている。
上記一対の長孔63ａ，63ｂ間には、ネジ孔66が形成されている。  
【００３１】
さらに、上記蓋部54の他端部の底面には、導電材より成る長孔挿入部材としての一対のコンタクトピン68ａ，68ｂが取り付けられている。すなわち、図３に示すように、蓋部54の他端の底面には導電板70が取り付けられており、該導電板70の先端に形成した孔（図示せず）にコンタクトピン68ａ，68ｂを挿通固定している。
上記コンタクトピン68ａは、第１の連結式照明器具50同士を連結する際に、他の第１の連結式照明器具50の長孔63ａ内に挿入され、また、コンタクトピン68ｂは、第１の連結式照明器具50同士を連結する際に、他の第１の連結式照明器具50の長孔63ｂ内に挿入されるものである。
上記コンタクトピン68ａ，68ｂは、図８に示す如く、筒状体71の内部にスプリング72を内蔵すると共に、該スプリング72に接続され、上記筒状体71に挿通可能な先端部73を有しており、上記先端部73が押圧されるとスプリング72が圧縮されるようになっている。
尚、上記導電板70の後端は、ＬＥＤ60に接続された図示しない導体パターンと接続されている。
また、上記蓋部54の他端部にもネジ孔76が形成されている。
【００３２】
上記第１の連結式照明器具50同士の連結及び連結角度の調整は、一方の第１の連結式照明器具50のコンタクトピン68ａ，68ｂを他方の第１の連結式照明器具50の長孔63ａ，63ｂ内に挿入すると共に、コンタクトピン68ａ，68ｂを円弧状の長孔63ａ，63ｂに沿って移動させることにより行われるものである。
【００３３】
すなわち、上記構成を備えた本発明の第１の連結式照明器具50同士を連結するには、図９〜図１１に示すように、一方の第１の連結式照明器具50Ａのコンタクトピン68ａ，68ｂを、他方の第１の連結式照明器具50Ｂの長孔63ａ，63ｂ内に挿入し、コンタクトピン68ａ，68ｂを導体パターン（図示省略）上に載置・接続する。
【００３４】
そして、コンタクトピン68ａ，68ｂが長孔63ａ，63ｂに挿入された状態で、コンタクトピン68ａ，68ｂを円弧状の長孔63ａ，63ｂに沿って移動させれば、一方の第１の連結式照明器具50Ａが回転するので連結角度を調整することができるのである。
而して、コンタクトピン68ａ，68ｂは、長孔63ａ，63ｂの一端から他端の間を移動するものであるが、コンタクトピン68ａ，68ｂは長孔63ａ，63ｂの両端間を１８０度の範囲で移動可能となっている。この結果、一方の連結式照明器具50Ａのコンタクトピン68ａ，68ｂを、他方の第１の連結式照明器具50Ｂの長孔63ａ，63ｂに沿って１８０度の範囲で移動させることにより、１８０度の範囲で連結角度の調整を行うことができるのである。
【００３５】
すなわち、図１２及び図１３に示すように、一対のコンタクトピン68ａ，68ｂを共に、長孔63ａ，63ｂの中央位置に配置すれば、第１の連結式照明器具50Ａ，50Ｂ同士をライン状に連結することができる。
また、図１４及び図１５に示すように、一方のコンタクトピン68ａを一方の長孔63ａの左端位置に配置すると共に、他方のコンタクトピン68ｂを他方の長孔63ｂの右端位置に配置すれば、一方の連結式照明器具50Ａを他方の連結式照明器具50Ｂに対して上方９０度（直角）の角度で連結することができる。
さらに、図１４及び図１６示すように、一方のコンタクトピン68ａを一方の長孔63ａの右端位置に配置すると共に、他方のコンタクトピン68ｂを他方の長孔63ｂの左端位置に配置すれば、一方の連結式照明器具50Ａを他方の連結式照明器具50Ｂに対して下方９０度（直角）の角度で連結することができる。
【００３６】
以上の通り、本発明の第１の連結式照明器具50は、他方の連結式照明器具50Ｂの長孔63ａ，63ｂ内に挿入された一方の連結式照明器具50Ａのコンタクトピン68ａ，68ｂを、長孔63ａ，63ｂに沿って移動させて一方の第１の連結式照明器具50Ａを回転させることにより、上方９０度から下方９０度に至る１８０度の範囲で連結角度の調整を行うことができるのである。
【００３７】
尚、一方の第１の連結式照明器具50Ａのコンタクトピン68ａ，68ｂを、他方の第１の連結式照明器具50Ｂの長孔63ａ，63ｂ内に挿入した状態においては、一方の第１の連結式照明器具50Ａのネジ孔76と他方の第１の連結式照明器具50Ｂのネジ孔66とが連通するようになっている。
而して、上記方法で一方の第１の連結式照明器具50Ａと他方の第１の連結式照明器具50Ｂとを所望の連結角度で連結した状態で、ネジ孔76，66にネジ78を螺合させて第１の連結式照明器具50Ａ，50Ｂ同士を固定するのである（図１７）。
尚、第１の連結式照明器具50同士の固定手段としては上記ネジ78だけでなく、例えば、図示しないブッシュを介して第１の連結式照明器具50同士を固定したり、或いは、一方の第１の連結式照明器具50Ａと他方の第１の連結式照明器具50Ｂの夫々に相互に係合する係合爪を設けて固定するようにしても良い。
【００３８】
上記の通り、長孔63ａ，63ｂ内に露出した基板52の表面には、ＬＥＤ60に接続された導体パターンが延設され、また、コンタクトピン68ａ，68ｂは、ＬＥＤ60に接続された導体パターンと接続する導電板70に固定されている。
従って、コンタクトピン68ａ，68ｂを長孔63ａ，63ｂ内に挿入して導体パターン上に載置・接続した状態で、ネジ78を介して第１の連結式照明器具50同士を連結すると、一方の第１の連結式照明器具50ＡのＬＥＤ60−導体パターン−導電板70−コンタクトピン68ａ，68ｂ−他方の第１の連結式照明器具50Ｂの導体パターン−ＬＥＤ60とが電気的に接続され、第１の連結式照明器具50同士の電気的接続を実現できる。
【００３９】
上記コンタクトピン68ａ，68ｂは、スプリング72が圧縮することにより、先端部73が導体パターン方向への付勢力を持った状態で導体パターンに圧接されるので接続強度が大きい。
尚、図１８に示すように、上記コンタクトピン68ａ，68ｂに代えて、先端にバネ性の有るコンタクト部70ａを有する導電板70を用いても良い。この場合も、長孔63ａ，63ｂ内に挿入された導電板70のコンタクト部70ａが導体パターン方向への付勢力を持った状態で導体パターンに圧接されるので接続強度が大きい。
【００４０】
上記第１の連結式照明器具50Ａにあっては、器具本体56を構成する蓋部54の一端部に、器具本体56の長手方向に延び、半径の異なる同心円上において１８０度間隔で対向配置される円弧状の一対の長孔63ａ，63ｂを形成すると共に、蓋部54の他端部に一対のコンタクトピン68ａ，68ｂを設け、該コンタクトピン68ａ，68ｂは、他方の第１の連結式照明器具50Ｂの長孔63ａ，63ｂ内に挿入されて長孔63ａ，63ｂの両端間を１８０度の範囲で移動可能と成されているので、一方の第１の連結式照明器具50Ａのコンタクトピン68ａ，68ｂを、他方の第１の連結式照明器具50Ｂの長孔63ａ，63ｂ内に挿入した状態で、コンタクトピン68ａ，68ｂを円弧状の長孔63ａ，63ｂに沿って移動させれば一方の第１の連結式照明器具50Ａが回転して連結角度の調整を行うことができる。
従って、本発明の第１の連結式照明器具50は、別途、連結角度調整のための特別な連結部品を用いることなく、上方９０度から下方９０度に至る１８０度の範囲で第１の連結式照明器具50同士の連結及び連結角度の設定ができるのである。
【００４１】
上記においては、コンタクトピン68ａ，68ｂが長孔63ａ，63ｂの両端間を１８０度の範囲で移動可能と成した場合を例示したが、これに限定されるものではなく、長孔63ａ，63ｂの長さを大きくすることにより、コンタクトピン68ａ，68ｂが長孔63ａ，63ｂの両端間を１８０度より大きい範囲で移動可能と成せば、１８０度より大きい範囲で連結角度の調整が可能となる。
而して、第１の連結式照明器具50にあっては、一対のコンタクトピン68ａ，68ｂが挿入される一対の長孔63ａ，63ｂが、半径の異なる同心円上に配置されていることから、中心角が１８０度以上の長孔63ａ，63ｂを形成しても、長孔63ａ，63ｂ同士が接触することはなく、１８０度以上の角度範囲で連結できる連結式照明器具を実現できる。
要するに、上記第１の連結式照明器具50は、長孔63ａ，63ｂの長さを適宜調整し、コンタクトピン68ａ，68ｂが長孔63ａ，63ｂの両端間を所定角度範囲で移動可能と成せば、上記所定角度範囲で連結角度の調整ができるのである。
【００４２】
図１９〜図２５は、本発明に係る第２の連結式照明器具80を示すものであり、図１９は平面図、図２０は正面図、図２１は底面図、図２２は右側面図、図２３は左側面図、図２４は図１９のＡ−Ａ断面図、図２５は図１９のＢ−Ｂ断面図である。尚、第１の連結式照明器具50と同一の部材については、同一符号を使用し、その説明を省略する。
【００４３】
この第２の連結式照明器具80にあっては、器具本体56を構成する蓋部54の一端部に、器具本体56の長手方向に延び、１３個の円孔82ａ，82ｂで構成された一対の円孔群84ａ，84ｂが形成されている。
各円孔群84ａ，84ｂを構成する１３個の円孔82ａ，82ｂは、器具本体56の長手方向へ１５度間隔で略半円弧状に配置されている。
また、一対の円孔群84ａ，84ｂは、半径の異なる同心円上において１８０度間隔で対向配置されている。
尚、上記円孔82ａ，82ｂ内に露出した基板52の表面には、ＬＥＤ60に接続された図示しない導体パターンが延設されている。
また、上記一対の円孔群84ａ，84ｂの間には、ネジ孔66が形成されている。
【００４４】
上記第２の連結式照明器具80同士の連結及び連結角度の調整は、一方の第２の連結式照明器具80のコンタクトピン68ａ，68ｂを、他方の第２の連結式照明器具80の円孔群84ａ，84ｂを構成する円孔82ａ，82ｂ内に挿入すると共に、円孔82ａ，82ｂ内に挿入する一方の第２の連結式照明器具80Ａのコンタクトピン68ａ，68ｂの挿入位置を変えることにより行われるものである。
【００４５】
すなわち、上記構成を備えた本発明の第２の連結式照明器具80同士を連結するには、図２６〜図２８に示すように、一方の第２の連結式照明器具80Ａの一対の円孔挿入部材としてのコンタクトピン68ａ，68ｂを、他方の第２の連結式照明器具80Ｂの一対の円孔群84ａ，84ｂの円孔82，82内に挿入し、コンタクトピン68ａ，68ｂを導体パターン（図示省略）上に載置・接続する。
【００４６】
そして、コンタクトピン68ａ，68ｂが挿入される円孔群84ａ，84ｂの円孔82ａ，82ｂの位置を適宜変更すれば、一方の第２の連結式照明器具80Ａが回転するので連結角度を調整することができるのである。
而して、コンタクトピン68ａ，68ｂは挿入位置を変えることにより、円孔群84ａ，84ｂを構成する一端（左端）位置の円孔82ａ，82ｂから他端（右端）位置の円孔82ａ，82ｂ迄の間で移動可能であるが、上記の通り１３個の円孔82ａ，82ｂは１５度間隔で配置されているので、コンタクトピン68ａ，68ｂは１８０度の範囲で移動可能となっている。すなわち、円孔群84ａ，84ｂを構成する一端（左端）位置の円孔82ａ，82ｂに挿入されたコンタクトピン68ａ，68ｂは、他端（右端）位置の円孔82ａ，82ｂに至るまで１２個の円孔82ａ，82ｂに挿入可能であることから１８０度（１２×１５度）の範囲で移動できるのである。
この結果、第２の連結式照明器具80は、一方の第２の連結式照明器具80のコンタクトピン68ａ，68ｂを、他方の第２の連結式照明器具80の円孔群84ａ，84ｂを構成する一端（左端）位置の円孔82ａ，82ｂから他端（右端）位置の円孔82ａ，82ｂ迄の間を１８０度の範囲で移動させることにより、１８０度の範囲内において１５度単位で連結角度の調整を行うことができるのである。
【００４７】
図２９及び図３０に示すように、一対のコンタクトピン68ａ，68ｂを、一対の円孔群84ａ，84ｂの中央位置の円孔82ａ，82ｂ（左から７個目の円孔82ａ，82ｂ）内に挿入すれば、第２の連結式照明器具80Ａ，80Ｂ同士をライン状に連結することができる。
また、図３１及び図３２に示すように、一方のコンタクトピン68ａを、一方の円孔群84ａの左端位置の円孔82ａ（左から１個目の円孔82ａ）内に挿入すると共に、他方のコンタクトピン68ｂを、他方の円孔群84ｂの右端位置の円孔82ｂ（右から１個目の円孔82ｂ）内に挿入すれば、一方の第２の連結式照明器具80Ａを他方の第２の連結式照明器具80Ｂに対して上方９０度の角度で連結することができる。
さらに、図３１及び図３３に示すように、一方のコンタクトピン68ａを、一方の円孔群84ａの右端位置の円孔82ａ（右から１個目の円孔82ａ）内に挿入すると共に、他方のコンタクトピン68ｂを、他方の円孔群84ｂの左端位置の円孔82ｂ（左から１個目の円孔82ｂ）内に挿入すれば、一方の第２の連結式照明器具80Ａを他方の第２の連結式照明器具80Ｂに対して下方９０度の角度で連結することができる。
【００４８】
尚、第１の連結式照明器具50の場合と同様に、一方の第２の連結式照明器具80Ａのコンタクトピン68ａ，68ｂを、他方の第２の連結式照明器具80Ｂの円孔82ａ，82ｂ内に挿入した状態においては、一方の第２の連結式照明器具80Ａのネジ孔76と他方の第２の連結式照明器具80Ｂのネジ孔66とが連通するようになっており、ネジ孔76，66にネジ78を螺合させて第２の連結式照明器具80Ａ，80Ｂ同士を固定するのである（図３４）。
【００４９】
上記の通り、円孔82ａ，82ｂ内に露出した基板52の表面には、ＬＥＤ60に接続された導体パターンが延設され、また、コンタクトピン68ａ，68ｂは、ＬＥＤ60に接続された導体パターンと接続する導電板70に固定されている。
従って、コンタクトピン68ａ，68ｂを円孔82ａ，82ｂ内に挿入して導体パターン上に載置・接続した状態で、ネジ78を介して第２の連結式照明器具80同士を連結すると、一方の連結式照明器具80ＡのＬＥＤ60−導体パターン−導電板70−コンタクトピン68ａ，68ｂ−他方の連結式照明器具80Ｂの導体パターン−ＬＥＤ60とが電気的に接続され、第２の連結式照明器具80同士の電気的接続を実現できる。
【００５０】
本発明の上記第２の連結式照明器具80にあっては、長尺な器具本体56を構成する蓋部54の一端部に、器具本体56の長手方向に延び、１３個の円孔82ａ，82ｂで構成された一対の円孔群84ａ，84ｂを構成し、該一対の円孔群84ａ，84ｂを、半径の異なる同心円上において１８０度間隔で対向配置すると共に、蓋部54の他端部に、他の第２の連結式照明器具80の上記一対の円孔群84ａ，84ｂを構成する円孔82ａ，82ｂに挿入される一対のコンタクトピン68ａ，68ｂを設けたので、一方の第２の連結式照明器具80Ａのコンタクトピン68ａ，68ｂを他方の第２の連結式照明器具80Ｂの円孔群84ａ，84ｂを構成する円孔82ａ，82ｂ内に挿入することにより、別途、特別な連結部品を用いることなく、第２の連結式照明器具80Ａ，80Ｂ同士を連結できる。
また、円孔群84ａ，84ｂを構成する１３個の円孔82ａ，82ｂは１５度間隔で配置されており、コンタクトピン68ａ，68ｂは挿入位置を変えることにより、円孔群84ａ，84ｂを構成する一端（左端）位置の円孔82ａ，82ｂから他端（右端）位置の円孔82ａ，82ｂ迄の間を１８０度の範囲で移動可能と成されているので、他方の第２の連結式照明器具80Ｂの円孔群84ａ，84ｂを構成する円孔82ａ，82ｂ内に挿入する一方の第２の連結式照明器具80Ａのコンタクトピン68ａ，68ｂの挿入位置を変えることにより、１８０度の範囲で連結角度の調整を行うことができる
しかも、各円孔群84ａ，84ｂを構成する１３個の円孔82ａ，82ｂは１５度間隔で配置されているので、他方の第２の連結式照明器具80Ｂの円孔群84ａ，84ｂを構成する円孔82ａ，82ｂ内に挿入する一方の第２の連結式照明器具80Ａのコンタクトピン68ａ，68ｂの挿入位置を変えることにより、連結角度を１５度単位で容易に設定することができる。このため、取付場所（例えば天井、壁、家具等）の形状・構造・寸法等に対応して予め連結角度（例えば１５度の角度で連結、３０度の角度で連結等）の決まっている場合に連結角度の設定が容易である。
【００５１】
上記においては、挿入位置を変えることにより、コンタクトピン68ａ，68ｂが円孔群84ａ，84ｂを構成する一端（左端）位置の円孔82ａ，82ｂから他端（右端）位置の円孔82ａ，82ｂ迄の間を１８０度の範囲で移動可能と成た場合を例示したが、これに限定されるものではなく、１５度間隔で配置する円孔82ａ，82ｂの数を増やすことにより、コンタクトピン68ａ，68ｂが円孔群84ａ，84ｂを構成する一端（左端）位置の円孔82ａ，82ｂから他端（右端）位置の円孔82ａ，82ｂ迄の間を１８０度より大きい範囲で移動可能と成せば、１８０度より大きい範囲で連結角度の調整が可能となる。
而して、第２の連結式照明器具80にあっては、一対のコンタクトピン68ａ，68ｂが挿入される複数の円孔82ａ，82ｂより成る一対の円孔群84ａ，84ｂが半径の異なる同心円上に配置されていることから、１８０度以上の範囲で円孔82ａ，82ｂを配置しても、円孔群84ａ，84ｂ同士が接触することはなく、１８０度以上の角度範囲で連結できる連結式照明器具を実現できる。
要するに、上記第２の連結式照明器具80は、円孔群84ａ，84ｂを構成する円孔82ａ，82ｂの数及び配置間隔を適宜調整し、コンタクトピン68ａ，68ｂが一端位置の円孔82ａ，82ｂから他端位置の円孔82ａ，82ｂ迄の間を所定角度範囲で移動可能と成せば、上記所定角度範囲で連結角度の調整ができるのである。
【００５２】
上記第２の連結式照明器具80においては、円孔群84ａ，84ｂを１５度間隔で配置した１３個の円孔82ａ，82ｂで構成した場合を例示したが、これに限定されるものではなく、例えば、円孔82ａ，82ｂの配置間隔を変更（例えば１５度間隔を３０度間隔に変更）すれば、連結角度の設定単位を変更（１５度単位を３０度単位に変更）することができる。
【００５３】
上記においては、同じ長さの第１の連結式照明器具50同士、第２の連結式照明器具80同士を連結する場合を例に挙げて説明したが、長さの異なる第１の連結式照明器具50、第２の連結式照明器具80を複数種類用意しておき、取付場所の形状に応じて長さの異なる第１の連結式照明器具50同士、第２の連結式照明器具80同士を連結することもできる。
【００５４】
また、上記の通り、第１の連結式照明器具50同士、第２の連結式照明器具80同士をを機械的に連結すると、同時に、第１の連結式照明器具50同士、第２の連結式照明器具80同士の電気的接続も実現されるよう構成するのが望ましいが、単に、第１の連結式照明器具50同士、第２の連結式照明器具80同士が機械的にのみ連結するよう構成することもできる。この場合は、第１の連結式照明器具50の長孔63ａ，63ｂ内、第２の連結式照明器具80の円孔82ａ，82ｂ内に導体パターンを延設する必要はなく、また、第１の連結式照明器具50の長孔挿入部材、第２の連結式照明器具80の円孔挿入部材を導電材（コンタクトピン68ａ，68ｂや導電板70）で構成する必要はない。
【図面の簡単な説明】
【００５５】
【図１】本発明に係る第１の連結式照明器具を示す平面図である。
【図２】本発明に係る第１の連結式照明器具を示す正面図である。
【図３】本発明に係る第１の連結式照明器具を示す底面図である。
【図４】本発明に係る第１の連結式照明器具を示す右側面図である。
【図５】本発明に係る第１の連結式照明器具を示す左側面図である。
【図６】図１のＡ−Ａ断面図である。
【図７】図１のＢ−Ｂ断面図である。
【図８】コンタクトピンを示す説明図である。
【図９】本発明に係る第１の連結式照明器具同士を連結した状態を示す部分平面図である。
【図１０】図９のＣ−Ｃ拡大断面図である。
【図１１】図９のＤ−Ｄ拡大断面図である。
【図１２】本発明に係る第１の連結式照明器具同士をライン状に連結した状態を示す平面図である。
【図１３】本発明に係る第１の連結式照明器具同士をライン状に連結した場合の長孔内におけるコンタクトピンの配置位置を示す説明図である。
【図１４】本発明に係る第１の連結式照明器具同士を上方９０度及び下方９０度の角度で連結した状態を示す平面図である。
【図１５】本発明に係る第１の連結式照明器具同士を上方９０度の角度で連結した場合の長孔内におけるコンタクトピンの配置位置を示す説明図である。
【図１６】本発明に係る第１の連結式照明器具同士を下方９０度の角度で連結した場合の長孔内におけるコンタクトピンの配置位置を示す説明図である。
【図１７】図９のＥ−Ｅ拡大断面図である。
【図１８】先端にバネ性の有るコンタクト部を有する導電板の拡大断面図である。
【図１９】本発明に係る第２の連結式照明器具を示す平面図である。
【図２０】本発明に係る第２の連結式照明器具を示す正面図である。
【図２１】本発明に係る第２の連結式照明器具を示す底面図である。
【図２２】本発明に係る第２の連結式照明器具を示す右側面図である。
【図２３】本発明に係る第２の連結式照明器具を示す左側面図である。
【図２４】図１９のＡ−Ａ断面図である。
【図２５】図１９のＢ−Ｂ断面図である。
【図２６】本発明に係る第２の連結式照明器具同士を連結した状態を示す部分平面図である。
【図２７】図２６のＣ−Ｃ拡大断面図である。
【図２８】図２６のＤ−Ｄ拡大断面図である。
【図２９】本発明に係る第２の連結式照明器具同士をライン状に連結した状態を示す平面図である。
【図３０】本発明に係る第２の連結式照明器具同士をライン状に連結した場合の円孔内におけるコンタクトピンの配置位置を示す説明図である。
【図３１】本発明に係る第２の連結式照明器具同士を上方９０度及び下方９０度の角度で連結した状態を示す平面図である。
【図３２】本発明に係る第２の連結式照明器具同士を上方９０度の角度で連結した場合の円孔内におけるコンタクトピンの配置位置を示す説明図である。
【図３３】本発明に係る第２の連結式照明器具同士を下方９０度の角度で連結した場合の円孔内におけるコンタクトピンの配置位置を示す説明図である。
【図３４】図２６のＥ−Ｅ拡大断面図である。
【図３５】従来の連結式照明器具を示す平面図である。
【図３６】従来の連結式照明器具を示す正面図である。
【図３７】従来の連結式照明器具を示す底面図である。
【図３８】従来の連結式照明器具を示す右側面図である。
【図３９】従来の係る連結式照明器具を示す左側面図である。
【図４０】図３５のＡ−Ａ断面図である。
【図４１】図３５のＢ−Ｂ断面図である。
【図４２】従来の連結式照明器具同士をライン状に連結した状態を示す平面図である。
【図４３】従来の連結式照明器具同士をライン状に連結した場合の円孔内におけるコンタクトピンの配置位置を示す説明図である。
【図４４】従来の連結式照明器具同士を上方４５度の角度で連結した状態を示す平面図である。
【図４５】従来の連結式照明器具同士を上方４５度の角度で連結した場合の円孔内におけるコンタクトピンの配置位置を示す説明図である。
【図４６】従来の連結式照明器具同士をネジを介して固定した状態を示す部分断面図である。
【符号の説明】
【００５６】
50    第１の連結式照明器具
50Ａ  一方の第１の連結式照明器具
50Ｂ  他方の第１の連結式照明器具
52    基板
54    蓋部
56    器具本体
60    ＬＥＤ
63ａ  長孔
63ｂ  長孔
66    ネジ孔
68ａ  コンタクトピン
68ｂ  コンタクトピン
70    導電板
70ａ  導電板のコンタクト部
71     コンタクトピンの筒状体
72     コンタクトピンのスプリング
73     コンタクトピンの先端部
76    ネジ孔
78    ネジ
80    第２の連結式照明器具
82ａ  円孔
82ｂ  円孔
84ａ  円孔群
84ｂ  円孔群
【図１】
2011096534.tif 000003
【図２】
2011096534.tif 000004
【図３】
2011096534.tif 000005
【図４】
2011096534.tif 000006
【図５】
2011096534.tif 000007
【図６】
2011096534.tif 000008
【図７】
2011096534.tif 000009
【図８】
2011096534.tif 000010
【図９】
2011096534.tif 000011
【図１０】
2011096534.tif 000012
【図１１】
2011096534.tif 000013
【図１２】
2011096534.tif 000014
【図１３】
2011096534.tif 000015
【図１４】
2011096534.tif 000016
【図１５】
2011096534.tif 000017
【図１６】
2011096534.tif 000018
【図１７】
2011096534.tif 000019
【図１８】
2011096534.tif 000020
【図１９】
2011096534.tif 000021
【図２０】
2011096534.tif 000022
【図２１】
2011096534.tif 000023
【図２２】
2011096534.tif 000024
【図２３】
2011096534.tif 000025
【図２４】
2011096534.tif 000026
【図２５】
2011096534.tif 000027
【図２６】
2011096534.tif 000028
【図２７】
2011096534.tif 000029
【図２８】
2011096534.tif 000030
【図２９】
2011096534.tif 000031
【図３０】
2011096534.tif 000032
【図３１】
2011096534.tif 000033
【図３２】
2011096534.tif 000034
【図３３】
2011096534.tif 000035
【図３４】
2011096534.tif 000036
【図３５】
2011096534.tif 000037
【図３６】
2011096534.tif 000038
【図３７】
2011096534.tif 000039
【図３８】
2011096534.tif 000040
【図３９】
2011096534.tif 000041
【図４０】
2011096534.tif 000042
【図４１】
2011096534.tif 000043
【図４２】
2011096534.tif 000044
【図４３】
2011096534.tif 000045
【図４４】
2011096534.tif 000046
【図４５】
2011096534.tif 000047
【図４６】
2011096534.tif 000048